(57)【要約】【課題】多点同時入力操作を直感的に適用できる操作に適用することにより一層の操作性の向上がはかった表示入力装置を提供する。【解決手段】表示入力装置（ＬＣＤタッチパネル１）は、画面に表示情報を表示する表示部１０ａと、画面上で多点同時入力を検知する入力検知部２２と、表示情報を生成して表示部１０ａに出力するとともに、入力検知部２２により画面上で多点同時入力が検知された場合、当該多点同時入力における入力点数に応じて予め割り当てられたコマンドを実行する制御部２０と、により構成される。【選択図】図１
2010040012.tif 000002
【特許請求の範囲】
【請求項１】
画面に表示情報を表示する表示部と、
前記画面上で多点同時入力を検知する入力検知部と、
前記表示情報を生成して前記表示部に出力するとともに、前記入力検知部により前記画面上で多点同時入力が検知された場合、前記多点同時入力における入力点数に応じて予め割り当てられたコマンドを実行する制御部と、
を備えたことを特徴とする表示入力装置。
【請求項２】
前記表示部は、
前記画面上に所定の順序で遷移する表示情報を表示し、
前記制御部は、
前記入力検知部により前記画面上の特定の領域で多点同時入力が検知された場合、前候補の表示情報を生成して前記表示部へ出力し、他の領域で多点同時入力が検知された場合、次候補の表示情報を生成して前記表示部に出力することを特徴とする請求項１記載の表示入力装置。
【請求項３】
前記表示部は、
前記画面上に複数の選択項目からなる表示情報を表示し、
前記制御部は、
前記入力検知部により前記画面に表示された選択項目上で多点同時入力が検知された場合、前記多点同時入力が検知された多点間の選択項目含む複数の選択項目を同時選択することを特徴とする請求項１記載の表示入力装置。
【請求項４】
前記制御部は、
前記画面上に表示情報を表示すると、多点同時入力が可能な画面か否かを判定する表示画面モード判定部と、
前記表示画面モード判定部で判定されたモードにしたがい、画面上に、入力オブジェクトが表示されるコマンド入力領域と、前記コマンド入力領域以外のアプリケーション領域を設定する有効画面領域設定部と、
前記入力検知部により多点同時入力が検知され、前記有効画面領域設定部により設定されたコマンド入力領域およびアプリケーション領域とから、前記多点同時入力における入力点数に応じて予め割り当てられたコマンドを実行するタッチ入力領域判定およびコマンド制御部と、
を有することを特徴とする請求項１から請求項３のいずれか１項に記載の表示入力装置。
【請求項５】
前記表示画面モード判定部で、多点同時入力を必要としない基本モードであると判定された場合、
前記タッチ入力領域判定およびコマンド制御部は、
前記コマンド入力領域、もしくはアプリケーション領域で、前記入力検知部による多点同時入力が検知された場合、前記多点同時入力によるコマンドの実行を無効とし、
前記コマンド入力領域で前記入力検知部による一点入力が検知された場合、前記コマンド入力領域に対応したコマンドの実行を許可し、前記アプリケーション領域で前記入力検知部による一点入力が検知された場合、前記一点入力によるコマンドの実行を無効にすることを特徴とする請求項４記載の表示入力装置。
【請求項６】
前記画面モード判定部により、有効画面領域設定部が、前記アプリケーション領域を分割して、一方に前候補、他方に次候補の出力を割当てるシーケンス画面遷移モードであると判定された場合、
前記タッチ領域判定およびコマンド制御部は、
前記コマンド入力領域で前記入力検知部による一点入力が検知された場合、前記コマンド入力領域に対応したコマンドの実行を許可し、前記アプリケーション領域の一方で前記入力検知部による一点入力が検知された場合に前候補の出力コマンドの実行を許可し、他の領域で一点入力が検知された場合に次候補の出力コマンドの実行を許可し、
前記コマンド入力領域で前記入力検知部による多点同時入力が検知された場合、前記コマンド入力領域に対応したコマンドの実行を無効にし、前記アプリケーション領域の一方で前記入力検知部による多点同時入力が検知された場合、前候補の出力コマンドの実行を前記多点同時入力における入力点数分許可して画面を順次遷移させ、他の領域で多点同時入力が検知された場合、次候補の出力コマンドの実行を前記多点同時入力における入力点数分許可して画面を順次遷移させる、ことを特徴とする請求項４記載の表示入力装置。
【請求項７】
前記画面モード判定部により、前記有効画面領域設定部が、前記アプリケーション領域に複数の選択項目からなる表示情報を表示する複数項目選択可能モードであると判定された場合、
前記タッチ領域判定およびコマンド制御部は、
前記コマンド入力領域で前記入力検知部による一点入力が検知された場合、前記コマンド入力領域に対応したコマンドの実行を許可し、前記アプリケーション領域の前記複数の選択項目上で前記入力検知部による一点入力が検知された場合、前記一点入力に該当する選択項目の選択状態を判定し、選択状態になっていれば未選択状態に、未選択状態になっていればであれば選択状態に変更し、
前記コマンド入力領域で前記入力検知部による多点同時入力が検知された場合、前記コマンド入力領域に対応したコマンドの実行を無効にし、前記アプリケーション領域の複数の選択項目上で前記入力検知部による多点同時入力が検知された場合、多点同時入力が検知された多点間の選択項目含む複数の選択項目の選択状態を同時変更すること、
を特徴とする請求項４記載の表示入力装置。
【発明の詳細な説明】
【技術分野】
【０００１】
この発明は、多点同時入力可能なタッチパネル等の表示入力装置に関するものである。
【背景技術】
【０００２】
タッチパネルは、ディスプレイモニタとマトリクススイッチとを組み合わせ、ディスプレイモニタ上の任意の点をタッチすることにより機器を操作する表示入力装置であり、直感的に扱えることを要求する機器に組み込まれ使用されることが多い。
現在流通しているタッチパネルは、ＬＣＤ（Liquid Crystal Device）パネル上に透明電極を構成する抵抗を持った金属薄膜をＸＹ方向に独立に積層し、一方の抵抗膜に電圧をかけ、接触した部位の他方の抵抗膜の電位を検出することで、一点押下の接触部位（ＸＹ座標）を検出し、更に、接触面積を検出することで多点同時押下を検出することが可能になっている。
【０００３】
ところで、上記したタッチパネルを含む入力装置の操作性向上に関する技術は従来から多数出願されており、例えば、機能キーと補助キーとの組み合わせにより複数の機能から一つを選択するキーボードにおいて、補助キーの押下回数をカウントするカウンタを有し、カウンタが保持する値に対応した機能を実行させるもの（例えば、特許文献１参照）、あるいは、タッチパネルの画面にスイッチ領域を設け、このスイッチ領域に、ＰＣにおける同時キー入力（例えば、Ｃｔｒｌ＋Ａｌｔ＋Ｄｅｌｅｔｅ）と同じ操作方法で特殊コマンドを定義する等、同時キー操作が可能なもの（例えば、特許文献２参照）等が知られている。
【０００４】
【特許文献１】特開２０００−２６７７９２号公報
【特許文献２】特開平１０−１２４２４０号公報
【発明の開示】
【発明が解決しようとする課題】
【０００５】
上記したように、従来、タッチパネルの操作は、一点押下の連続操作により行なわれており、一方でタッチパネル特有の入力方法として多点同時押しがあることは周知の通りである。タッチパネルにおけるタッチ数の削減は、操作性の向上をはかるうえで重要な設計事項になっており、上記したタッチパネルに特有の多点同時押し入力を積極的に利用して特定の機能と関連づければ操作性を一層向上させることができるものと考えられる。
【０００６】
この発明は上記した課題を解決するためになされたものであり、多点同時入力操作を直感的に適用できる操作に適用することにより一層の操作性の向上をはかった、表示入力装置を提供することを目的とする。
【課題を解決するための手段】
【０００７】
上記した課題を解決するためにこの発明の表示入力装置は、画面に表示情報を表示する表示部と、前記画面上で多点同時入力を検知する入力検知部と、前記表示情報を生成して前記表示部に出力するとともに、前記入力検知部により前記画面上で多点同時入力が検知された場合、前記多点同時入力における入力点数に応じて予め割り当てられたコマンドを実行する制御部と、を備えたものである。
【発明の効果】
【０００８】
この発明の表示入力装置によれば、多点同時入力操作を直感的に適用できる操作に適用することにより一層の操作性の向上がはかれる。
【発明を実施するための最良の形態】
【０００９】
実施の形態１．
図１は、この発明の実施の形態１に係る表示入力装置の内部構成を示すブロック図である。ここでは、この発明の実施の形態１に係る表示入力装置として、ＬＣＤタッチパネル１が例示されている。
図１に示されるように、ＬＣＤタッチパネル１は、表示入力部１０と、制御部２０と、表示制御部２１と、入力検知部２２と、記憶部２３と、により構成される。
【００１０】
表示入力部１０は、表示部１０ａと、入力部１０ｂと、により構成される。
表示部１０ａは、例えば、ＬＣＤパネルにより構成され、制御部２０で生成された表示情報が表示制御部２１による制御の下で不図示の内蔵メモリに描画され、表示制御部２１がＬＣＤモニタの表示タイミングに同期して読み出すことで当該ＬＣＤモニタに所望の画像として表示することができる。
【００１１】
入力部１０ｂは、例えば、Ｘ方向に一定の間隔で配置された帯線状のｎ本の透明電極からなるベースと、Ｙ方向に一定の間隔で配置された帯線状のｍ本の透明電極からなるＹ電極を有するベースとがそれぞれ電極形成面を対向させるように積層され、この積層構造において、Ｘ電極とＹ電極が交差するｎ×ｍ個のスイッチがマトリクス状に形成されてなる。
入力部１０ｂは、基準電圧を各Ｘ電極に対して選択的に印加する基準電圧印加部１１を有し、この基準電圧印加部１１は、入力検知部２２から供給される印加電極選択信号に基づいて基準電圧の印加先であるＸ電極を順次選択し、基準電圧をそのＸ電極に印加するようになされている。また、入力部１０ｂは、入力検知部２２からの測定電極選択信号により指定されたＹ電極の電圧値を選択的に測定する基準電圧測定部１２を有する。この基準電圧測定部１２は、各Ｙ電極に発生する電圧値を、入力検知部２２から供給される測定電極選択信号に基づき順次選択的に測定し、この測定結果を入力検知部２２へ供給している。
【００１２】
上記により入力部１０ｂ（のマトリクススイッチ）を指先の先端部で入力操作（押下）すると、その押圧位置においてＸ電極とＹ電極が接触することで導通状態となり、Ｘ電極に印加された基準電圧が押圧位置で接触したＹ電極を介して測定される。したがって、入力検知部２２では、Ｙ電極の出力電圧基準電圧が基準電圧測定部１２により測定された場合、そのＹ電極と、その基準電圧が印加されたＸ電極とを特定することができる。
また、入力検知部２２は、Ｘ電極とＹ電極との接触状態のスキャンを高速で繰り返し実行することにより、Ｘ電極の配列間隔およびＹ電極の配列間隔の精度で多点同時入力を検出することができる。
【００１３】
例えば、指先が入力部１０ｂを強く押した場合には、接触面積が大きくなり、複数のマトリクススイッチが同時に押された状態になるが、この場合においても、入力検知部２２は、各Ｘ電極への基準電圧の印加を高速で順次繰り返し行い、また、各Ｙ電極における電圧測定を高速で順次繰り返し行なうことで、同時に押下されているスイッチを検出することができる。入力検知部２２は、このようにして検出したスイッチの数に基づいて接触面積を検出することができる。
【００１４】
制御部２０は、上記した表示制御部２１と、入力検知部２２とを制御するとともに、記憶部２３に記録されたプログラムに基づき、表示情報を生成して表示入力部１０（表示部１０ａ）に出力し、また、入力検知部２２により画面上で多点同時入力が検知された場合、当該多点同時入力における入力点数に応じて予め割り当てられたコマンドを実行する機能を有する。
このため、制御部２０が実行するプログラムは、その構造が図２に機能展開して示されるように、表示画面モード判定部２０１と、有効画面領域設定部２０２と、タッチ領域判定およびコマンド制御部（以下、タッチ領域判定・コマンド制御部２０３という）と、からなる。
【００１５】
表示画面モード判定部２０１は、表示入力部１０（表示部１０ａ）の画面上に表示情報が表示されると、多点同時入力が可能な画面か否かを含む表示画面モード、具体的には、後述する、多点同時入力を必要としない「基本モード」と、画面上に所定の順序で遷移する表示情報を表示する「シーケンス画面遷移モード」のいずれかを判定し、有効画面領域設定部２０２へ引き渡す。
有効画面領域設定部２０２は、表示画面モード判定部２０１で判定された表示画面モードにしたがい、表示部１０ａの画面に、入力オブジェクトが表示されるコマンド入力領域と、コマンド入力領域以外のアプリケーション領域を設定して、タッチ領域判定・コマンド制御部２０３へ引き渡す。タッチ領域判定・コマンド制御部２０３は、入力検知部２２により多点同時入力が検知され、有効画面領域設定部２０２により設定されたコマンド入力領域およびアプリケーション領域とから、多点同時入力における入力点数に応じて予め割り当てられたコマンドを実行する機能を有する。
【００１６】
タッチ領域判定・コマンド制御部２０３は、表示画面モード判定部２０１で、例えば、「基本モード」であると判定され、更に、コマンド入力領域、もしくはアプリケーション領域で、入力検知部２２による多点同時入力が検知された場合、多点同時入力によるコマンドの実行を無効にするように制御する。
また、タッチ領域判定・コマンド制御部２０３は、コマンド入力領域で入力検知部２２による一点入力が検知された場合、コマンド入力領域に対応したコマンドの実行を許可し、アプリケーション領域で入力検知部２２による一点入力が検知された場合、当該一点入力によるコマンドの実行を無効にするように制御する。
【００１７】
タッチ領域判定・コマンド制御部２０３は、例えば、画面モード判定部２０１により、有効画面領域設定部２０２が、アプリケーション領域を分割して、一方に前候補、他方に次候補の出力を割当てる「シーケンス画面遷移モード」であると判定された場合、更に、コマンド入力領域で入力検知部２２による一点入力が検知された場合、コマンド入力領域に対応したコマンドの実行を許可する。また、アプリケーション領域の一方で入力検知部２２による一点入力が検知された場合に前候補の出力コマンドの実行を許可し、他の領域で一点入力が検知された場合に次候補の出力コマンドの実行を許可するように制御する。
また、タッチ領域判定・コマンド制御部２０３は、コマンド入力領域で入力検知部２２による多点同時入力が検知された場合、コマンド入力領域に対応したコマンドの実行を無効にし、アプリケーション領域の一方で入力検知部による多点同時入力が検知された場合、前候補の出力コマンドの実行を前記多点同時入力における入力点数分許可して画面を順次遷移させ、他の領域で多点同時入力が検知された場合、次候補の出力コマンドの実行を前記多点同時入力における入力点数分許可して画面を順次遷移させる制御を行なう。
【００１８】
図３は、この発明の実施の形態１に係る表示入力装置により生成される画面構成の一例を示す図である。ここでは、タッチパネル１に特有の多点同時入力を利用して特定の機能と関連づける画面構成の一例が示されている。
図３に示されるように、決まった順序で画面遷移する画像（写真）表示のケースを想定した場合、「Ｐｒｅｖ（前の候補に戻る）」「Ｎｅｘｔ（次の候補に移動）」に相当するボタン入力の機能を、本来、非入力領域であるアプリケーション領域の右半分、左半分の領域に、それぞれ、前候補選択領域、次候補選択領域として割当てる。これらアプリケーション領域において、多点同時入力が検知された場合、ＬＣＤタッチパネル１（制御部２０）は、その入力点数の分だけ画面が遷移するように制御する。
【００１９】
例えば、「Ｎｅｘｔボタン」押下と同等の機能を割当てた次候補選択領域（アプリケーション領域の右半分）において、３点同時押下が検出された場合、ＬＣＤタッチパネル１は、３つ先の画面表示に遷移させ、「Ｐｒｅｖボタン」押下と同等の機能を割当てた前候補選択領域（アプリケーション領域の左半分）において、２点同時押下が検出された場合、ＬＣＤタッチパネル１（制御部２０）は、２つ前の画面表示に遷移させる。
この機能によれば、連続した画面を簡単に効率良く遷移させることができるため、操作性の一層の向上につながる。
【００２０】
実施の形態１では、決まった順序で画面が遷移する画像（写真）表示等のケースを想定した「シーケンス画面遷移モード」について説明を行なう。なお、後述する「基本モード」とは、多点同時入力操作を必要としない場合の通常の画面制御をいう。
「シーケンス画面遷移モード」とは、その画面が順番に遷移する場合の画面表示モードであり、具体的には、図４（ａ）に示す写真表示中の画面、図４（ｂ）に示すＣＤ再生中の画面、図４（ｃ）に示すＤＶＤ再生中の画面、等が考えられる。
【００２１】
図４（ａ）（ｂ）（ｃ）は、この発明の実施の形態１に係る表示入力装置の動作を画面上に概念的に示した模式図である。
図４（ａ）に示す例は、画像毎に順番に１画像ずつ表示されており、「Ｎｅｘｔボタン（次候補）」押下で次の画像を表示する画面に遷移し、「Ｐｒｅｖボタン（前候補）」押下で前の画像を表示する画面に遷移するコマンドボタンが用意されているケースを想定している。また、図４（ｂ）に示す例では、１曲毎に画面が割当てられており、表示画面中には現在再生中の曲のトラック番号、曲名、再生経過時間等の情報が表示され、「Ｔｒａｃｋ Ｕｐボタン」押下で次の曲に移動して再生し、「Ｔｒａｃｋ Ｄｏｗｎボタン」押下で前の曲に移動して再生されるコマンドが用意されているケースを想定している。
【００２２】
また、図４（ｃ）に示す例では、ＤＶＤ再生中であり、画面上にはＤＶＤを操作するコマンドボタンはないが、タッチパネル以外のリモコン等の入力装置でＤＶＤを操作でき、そのリモコンから送信されるリモコンコマンドの中に「Ｃｈａｐｔｅｒ Ｕｐ（次のチャプターに移動して再生）」、「Ｃｈａｐｔｅｒ Ｄｏｗｎ（前のチャプターに移動して再生）」コマンドが用意されているケースを想定している。
【００２３】
図５、図６は、この発明の実施の形態１に係る表示入力装置の動作を示すフローチャートである。以下、図５、図６のフローチャートを参照しながら、図２に示す制御部２０の動作について詳細に説明する。
【００２４】
表示画面モード判定部２０１で、表示画面モードが判定されると（スップＳＴ５０１）、有効画面領域設定部２０２は、判定されたモードにしたがう領域設定を行なう。このことにより、タッチ領域判定・コマンド制御部２０３は、タッチ入力の際にどのコマンドを実行するのかを判定することができる。ここでは、有効画面領域設定部２０２は、表示部１０ａの表示画面で、通常の入力オブジェクト（ボタン等）が表示される領域をコマンド入力領域とし、それ以外の領域をアプリケーション領域として設定する。
なお、ステップＳＴ５０１で表示画面モード判定部２０１が「シーケンス画面遷移モード」でない「基本モード」であると判定した場合（ステップＳＴ５０１“Ｎｏ”）、この基本モードにおいて、コマンド入力領域は当然入力可能な領域ではあるが、アプリケーション領域は入力不可能な領域である。この基本モードにおける動作の詳細は、図６のフローチャートを用いて後述する。
【００２５】
ステップＳＴ５０１の表示画面モード判定処理で、決まった順序で表示画面が遷移する「シーケンス画面遷移モード」であると判定された場合（ステップＳＴ５０１“Ｙｅｓ”）、表示画面モード判定部２０１は、有効画面領域設定部２０２に対し、シーケンス画面遷移モードにしたがう領域設定を指示する（ステップＳＴ５０２）。
これをうけた有効画面領域設定部２０２は、表示部１０ａの画面上のアプリケーション領域を３分割する処理を実行する（ステップＳＴ５０３）具体的に、有効画面領域設定部２０２は、入力ボタン等、通常の入力オブジェクトが表示される領域をコマンド入力領域として設定し、また、コマンド入力領域以外のアプリケーション領域の右半分を次候補選択領域とし、更に、左半分を前候補選択領域としてそれぞれ設定する。この次候補選択領域と前候補選択領域は、その表示画面で通常最も多用されると思われるべきコマンドを対応させる領域として使用される。
【００２６】
例えば、図４（ａ）に示すケースでは、画面の遷移コマンド（Ｐｒｅｖ／Ｎｅｘｔ）が多用されると思われる。このため、有効画面領域設定部２０２は、本来、非入力領域であるアプリケーション領域の右半分を「Ｎｅｘｔコマンド」に、左半分を「Ｐｒｅｖコマンド」にそれぞれ対応させる。
また、図４（ｂ）に示したケースにおいて、有効画面領域設定部２０２は、右半分を「Ｔｒａｃｋ Ｕｐコマンド」に、左半分を「Ｔｒａｃｋ Ｄｏｗｎコマンド」に、それぞれ対応させる。また、図４（ｃ）に示したケースでは、「Ｃｈａｐｔｅｒ Ｕｐ／Ｄｏｗｎコマンドが多用されると思われる。このため、有効画面領域設定部２０２は、アプリケーション領域の右半分を「Ｃｈａｐｔｅｒ Ｕｐコマンド」に、左半分を「Ｃｈａｐｔｅｒ Ｄｏｗｎコマンド」にそれぞれ対応させる。有効画面領域判定部２０２は、上記の対応付けを行なうことにより、多用されると思われるコマンドのタッチ入力領域が拡大されるため、より簡易な操作を可能にする。
【００２７】
一方、ステップＳＴ５０１の表示画面判定処理で基本モードであると判定され（ステップＳＴ５０１“ＮＯ”）、表示画面モード判定部２０１が有効画面領域設定部２０２に基本モードを設定した場合（図６のステップＳＴ５１３）、これをうけた有効画面領域設定部２０２は、入力ボタン等の入力オブジェクトが表示される領域をコマンド入力領域、それ以外の領域をアプリケーション領域に設定する（ステップＳＴ５１４）。
次に、タッチ領域判定・コマンド制御部２０３は、入力検知部２２からの入力情報と、有効画面領域設定部２０２により設定された領域とから、実行すべきコマンドを判定し、実行する。ここで、多点同時入力操作に機能を割当てることにより、より操作性が向上したインターフェースを提供することができ、そのコマンドの実行が可能である。
【００２８】
具体的に、「基本モード」は、元々は多点同時入力操作を必要としない画面モードであるため、タッチ領域判定・コマンド制御部２０３は、多点同時入力操作が検知されても（ステップＳＴ５１５“ＹＥＳ”）、そのタッチ入力は無効として動作する（ステップＳＴ５１７）。
一方、入力検知部２２で一点入力が検知された場合（ステップＳＴ５１５“ＮＯ”）、タッチ領域判定・コマンド制御部２０３は、そのタッチ入力領域がアプリケーション領域の場合は（ステップＳＴ５１６“アプリケーション領域”）、無効として動作し（ステップＳＴ５１７）、コマンド入力領域の場合は（ステップＳＴ５１６“コマンド入力領域”）、押下されたボタンに対応する機能（コマンド）を実行する（ステップＳＴ５１８）。上記した一点入力操作による動作は一般的なタッチパネル１に共通する振舞いと同様である。
【００２９】
説明を図５のフローチャートに戻す。ステップＳＴ５０１の表示画面判定処理において表示画面モード判定部２０１で「シーケンス画面遷移モード」と判定され、かつ、有効画面領域設定部２０２で画面がコマンド入力領域と、次候補選択領域と、前候補選択領域とに３分割された後（ステップＳＴ５０３）、入力検知部２２で、一点入力が検知されると（ステップＳＴ５０４“ＮＯ”）、タッチ領域判定・コマンド制御部２０３は、そのタッチ入力領域がコマンド入力領域であれば（ステップＳＴ５０５“コマンド入力領域”）、タッチ入力されたボタンに対応する機能を実行する（ステップＳＴ５０６）。この動作は一般的なタッチパネルに共通する振舞いと同様である。
一方、タッチ入力領域が、前候補選択領域（ステップＳＴ５０５“前候補選択領域”）、あるいは次候補選択領域（ステップＳＴ５０５“次候補選択領域”）であれば、タッチ領域判定・コマンド制御部２０３は、有効画面領域設定部２０２でその領域に対応させたコマンドを実行する。すなわち、タッチ領域判定・コマンド制御部２０３は、前候補選択領域であれば、前の候補に移動して機能を実行し（ステップＳＴ５０７）、次候補選択領域であれば、次の候補に移動して機能を実行する（ステップＳＴ５０８）。
【００３０】
具体的に、図４（ａ）に示すケースでは、次候補選択領域で入力検知部２２による一点入力操作が検知されると、タッチ領域判定・コマンド制御部２０３で「Ｎｅｘｔコマンド」が実行され、前候補選択領域で入力検知部２２による一点入力操作が検知されると、タッチ領域判定・コマンド制御部２０３で「Ｐｒｅｖコマンド」が実行される。
また、図４（ｂ）に示すケースでは、次候補選択領域で入力検知部２２による一点操作入力が検知されると、タッチ領域判定・コマンド制御部２０３で「Ｔｒａｃｋ Ｕｐコマンド」が実行され、前候補選択領域で入力検知部２２による一点操作入力が検知されると、タッチ領域判定・コマンド制御部２０３で「Ｔｒａｃｋ Ｄｏｗｎコマンド」がそれぞれ実行される。
【００３１】
また、図４（ｃ）に示すケースでは、次候補選択領域で入力検知部２２による一点操作入力が検知されると、タッチ領域判定・コマンド制御部２０３で「Ｃｈａｐｔｅｒ Ｕｐコマンド」が実行され、前候補選択領域で入力検知部２２による一点操作入力が検知されると、タッチ領域判定・コマンド制御部２０３で「Ｃｈａｐｔｅｒ Ｄｏｗｎコマンド」が実行される。
【００３２】
一方、入力検知部２２で多点同時入力操作が検知された場合（ステップＳＴ５０４“ＹＥＳ”）、タッチ入力領域がコマンド入力領域であれば（ステップＳＴ５０９“コマンド入力領域”）、タッチ領域判定・コマンド制御部２０３は、そのタッチ入力によるコマンドの実行を無効とする（ステップＳＴ５１０）。
また、タッチ入力領域が、前候補、あるいは次候補選択領域（アプリケーション領域の左半分／右半分）であれば、タッチ領域判定・コマンド制御部２０３は、有効画面領域設定部２０２でその領域に対応させたコマンドを多点同時入力操作の入力点数に相当する分だけ実行する。すなわち、タッチ領域判定・コマンド制御部２０３は、前候補選択領域であれば（ステップＳＴ５０９“前候補選択領域”）、同時入力された点数分だけ前の候補に移動して機能を実行し（ステップＳＴ５１１）、次候補選択領域であれば（ステップＳＴ５０９“次候補選択領域”）、同時入力された点数分だけ次の候補に移動して機能を実行する（ステップＳＴ５１２）。
【００３３】
具体的に、図４（ａ）に示すケースにおいて、タッチ領域判定・コマンド制御部２０３は、有効画面領域設定部２０２で設定された次候補選択領域で２点同時入力操作を検出すると、「Ｎｅｘｔコマンド」を２回実行し、表示制御部２１により表示部１０ａを制御して、順次、対応する画面表示を行う。すなわち、２つ先の画面表示に遷移する。
また、タッチ領域判定・コマンド制御部２０３は、有効画面領域設定部２０２で設定された前候補選択領域で３点同時入力操作を検出すると、「Ｐｒｅｖコマンド」を３回実行した場合と同様の機能を実行し、表示制御部２１により表示部１０ａを制御して３個前の画面表示を行なう。すなわち、３個前に表示された画面の表示に遷移する。
【００３４】
また、図４（ｂ）に示すケースにおいて、タッチ領域判定・コマンド制御部２０３は、有効画面領域設定部２０２で設定された次候補選択領域で３点同時入力操作を検出すると、「Ｔｒａｃｋ Ｕｐコマンド」を３回実行し、この場合、３曲先のトラックが再生される。また、タッチ領域判定・コマンド制御部２０３は、有効画面領域設定部２０２で設定された前候補選択領域で２点同時入力操作を検出すると、「Ｔｒａｃｋ Ｄｏｗｎコマンド」を２回実行し、この場合、２つ前のトラックの曲が再生される。
また、図４（ｃ）のケースにおいて、タッチ領域判定・コマンド制御部２０３は、有効画面領域設定部２０２で設定された次候補選択領域で５点同時入力操作を検出すると、「Ｃｈａｐｔｅｒ Ｕｐコマンド」を５回実行し、この場合、５つ先のチャプターが再生される。また、タッチ領域判定・コマンド制御部２０３は、有効画面領域設定部２０２で設定された前候補選択領域で４点同時入力操作を検出すると、「Ｃｈａｐｔｅｒ Ｄｏｗｎコマンド」を４回実行し、この場合、４つ前のチャプターが再生される。なお、領域間を跨いで多点同時入力が検出された場合は、いずれのモードにおいてもその入力を無効とする。
【００３５】
上記したようにこの発明の実施の形態１に係る表示入力装置によれば、表示部１０ａに所定の順序で遷移する表示情報が表示されていた場合において、制御部２０が、入力検知部２２により画面上の特定の領域で多点同時入力が検知された場合、前候補の表示情報を生成して表示部１０ａへ出力し、他の領域で多点同時入力が検知された場合、次候補の表示情報を生成して表示部１０ａに出力することにより、連続して遷移する画面を効率よく遷移させることが可能になる。
すなわち、決まった順序で画面遷移を行なうケース（シーケンス遷移モード）において、例えば、「Ｐｒｅｖ（前の候補に戻る）」、「Ｎｅｘｔ（次の候補に移動）」に相当するボタン入力の機能を、本来、非入力領域であるアプリケーション領域の、右半分、左半分の領域にそれぞれ割当て、これら領域で多点同時入力操作が検出された場合に、その入力点数分だけ画面が遷移するよう制御することにより、連続した画面を簡単に効率良く遷移させることが可能となる。例えば、「Ｎｅｘｔボタン」を割当てたアプリケーション領域の右半分を、３点同時入力操作することにより、３個先の画面に遷移させ、「Ｐｒｅｖボタン」の機能を割当てたアプリケーション領域の左半分を、２点同時入力操作することにより２個前の画面表示に遷移させることができる。
【００３６】
実施の形態２．
図７は、この発明の実施の形態２に係る表示入力装置における画面構成の一例を示す図である。
ここでは、ＬＣＤタッチパネル１の画面上で、複数の項目の選択（ＭＰ３ファイルのリスト）が可能なケースを示しており、画面に表示された選択項目上で多点同時入力が検知された場合、多点同時入力が検知された多点間の選択項目を含む複数の選択項目を同時選択するようにしている。このため、複数項目を一度で選択することが可能になり、タッチ数削減による時間短縮の効果を得ようとするものである。以下に実施の形態２として詳細に説明する。
【００３７】
なお、実施の形態２においても、基本的には、図１に示すＬＣＤタッチパネル１の構成
を使用し、また、図２に示す制御部２０が実行するプログラム構造を使用するものとして説明するが、実施の形態２では、表示画面モード判定部２０１は、画面モードとして、「基本モード」と「複数項目選択可能モード」を判定するものとする。
また、タッチ領域判定・コマンド制御部２０３は、コマンド入力領域で入力検知部２２による一点入力が検知された場合、コマンド入力領域に対応したコマンドの実行を許可し、アプリケーション領域の複数の選択項目上で入力検知部２２による一点入力が検知された場合、当該一点入力に該当する選択項目の選択状態を判定し、選択状態になっていれば未選択状態に、未選択状態になっていれば選択状態に変更する制御を行なう。
【００３８】
また、タッチ領域判定・コマンド制御部２０３は、コマンド入力領域で入力検知部２２による多点同時入力が検知された場合、コマンド入力領域に対応したコマンドの実行を無効にし、アプリケーション領域の複数の選択項目上で入力検知部２２による多点同時入力が検知された場合、多点同時入力が検知された多点間の選択項目含む複数の選択項目の選択状態を同時変更する制御を行う。詳細は後述する。
なお、ここで、「基本モード」とは、実施の形態１同様、多点同時入力を必要としない画面モードをいうが、「複数項目選択可能モード」とは、画面上に複数の選択可能な項目が存在する画面をいい、具体的には、図８（ａ）に示すＭＰ３ファイルのリスト、図８（ｂ）に示す画像（写真）のサムネイル一覧画面、等が考えられる。
【００３９】
図８（ａ）（ｂ）は、この発明の実施の形態１に係る表示入力装置の動作を画面上に概念的に示した模式図である。
図８（ａ）に示すケースでは、保持されているＭＰ３（MPEG Audio Layer3）ファイルが一覧表示されており、ＭＰ３ファイルを選択した上でその選択したファイルに対して、再生や消去等の何らかのコマンドを実行するケースを想定している。
また、図８（ｂ）に示すケースでは、保存されている画像ファイルがサムネイルで一覧表示されており、画像ファイルを選択した上でその選択したファイルに対して、拡大表示や消去等の何らかのコマンドを実行するケースを想定している。
【００４０】
図９は、この発明の実施の形態２に係る表示入力装置の動作を示すフローチャートである。以下、図９のフローチャートを参照しながら、図２に示す制御部２０の動作について詳細に説明する。
【００４１】
表示画面モード判定部２０１が、表示画面が、複数の項目の選択を可能とする画面であると判定した場合（ステップＳＴ９０１“Ｙｅｓ”）、表示画面モード判定部２０１は、有効画面領域設定部２０２に「複数項目選択可能モード」にしたがう領域設定を指示する（ステップＳＴ９０２）。これをうけた有効画面領域設定部２０２は、画面を、コマンド入力領域と、複数項目可能選択領域とに２分割する（ステップＳＴ９０３）。
具体的に、有効画面領域設定部２０２は、ボタン等通常の入力オブジェクトが表示される領域をコマンド入力領域として設定し、選択対象とされるオブジェクトが配置される領域を、複数項目選択可能領域として設定する。すなわち、アプリケーション領域内で、選択対象となるオブジェクト（図８（ａ）のケースではＭＰ３ファイル、図８（ｂ）のケースでは画像）が配置される領域を、複数項目選択可能領域と設定する。
【００４２】
次に、入力検知部２２で、一点入力が検知されると（ステップＳＴ９０４“ＮＯ”）、タッチ領域判定・コマンド制御部２０３は、そのタッチ入力領域がコマンド入力領域であれば（ステップＳＴ９０５“コマンド入力領域”）、タッチ入力されたボタンに対応する機能を実行する（ステップＳＴ９０６）。この動作は一般的なタッチパネルに共通する振舞いと同様である。
タッチ入力領域が複数項目選択可能領域の場合（ステップＳＴ９０５“複数項目選択可能領域”）、タッチ領域判定・コマンド制御部２０３は、タッチした位置に配置された項目の選択状態を判定し（ステップＳＴ９０７）、選択済みであれば（ステップＳＴ９０７“ＮＯ”）、解除して未選択状態へ（ステップＳＴ９０８）、未選択状態であれば（ステップＳＴ９０７“ＹＥＳ”）、押下点の項目を選択して選択状態へ変更する（ステップＳＴ９０９）。
【００４３】
一方、入力検知部２２で、多点同時入力が検知されると（ステップＳＴ９０４“ＹＥＳ”）、タッチ領域判定・コマンド制御部２０３は、そのタッチ入力領域がコマンド入力領域であれば（ステップＳＴ９１０“コマンド入力領域”）、そのタッチ入力によるコマンドの実行を無効とする（ステップＳＴ９１１）。
また、タッチ入力領域が、複数項目選択可能領域の場合（ステップＳＴ９１０“複数項目選択可能領域”）、タッチ領域判定・コマンド制御部２０３は、入力位置に配置された項目（図８（ａ）のケースではＭＰ３ファイル、図８（ｂ）のケースでは画像）の選択状態を判定し（ステップＳＴ９１２）、選択状態であれば（ステップＳＴ９１２“ＮＯ”）、選択済みの項目を解除し（ステップＳＴ９１３）、未選択状態であれば（ステップＳＴ９１２“ＹＥＳ”）、選択状態へ変更する（ステップＳＴ９１４）。
【００４４】
このとき、タッチ領域判定・コマンド制御部２０３は、多点同時入力点間に配置された複数項目の選択状態を一度に変更できるように制御する。例えば、図８（ａ）のケースでは、ＭＰ３ファイルＮｏ．２とＮｏ．４の項目にて多点同時入力された場合、ＭＰ３ファイルＮｏ．３を含む、Ｎｏ．２とＮｏ．４の選択状態を一度に変更する。また、図８（ｂ）に示すケースでは、画像１と画像８を多点同時入力した場合、画像１と画像８の他に、画像１と画像８に含まれる画像４、画像７、画像２、画像５の選択状態も同時に変更する。このように、多点同時入力操作に上記した複数項目同時選択機能を定義することで、タッチ入力回数が減少するため、操作性を向上させることができる。
【００４５】
なお、ステップＳＴ９０１で基本モードであると判定された場合は（ステップＳＴ９０１“ＮＯ”）、図６のフローチャートに示す実施例１のステップＳＴ５１３〜ＳＴ５１８と同様の動作を行なうため、ここでの詳細な説明は重複を回避する意味で省略する。
基本モードの場合、コマンド入力領域は当然入力可能な領域であるが、アプリケーション領域は入力不可能な領域であるため、制御部２０（タッチ入力領域判定およびコマンド制御部２０３）は、コマンド入力領域、もしくはアプリケーション領域で、入力検知部２２による多点同時入力が検知された場合、多点同時入力によるコマンドの実行を無効とし、また、コマンド入力領域で入力検知部２２による一点入力が検知された場合、コマンド入力領域に対応したコマンドの実行を許可し、アプリケーション領域で入力検知部２２による一点入力が検知された場合、当該一点入力によるコマンドの実行を無効にする制御を行なう。また、本実施の形態２においても実施の形態１同様、領域間を跨いで多点同時入力が検出された場合は、いずれのモードにおいてもその入力を無効とする。
【００４６】
上記したように、この発明の実施の形態２に係る表示入力装置によれば、画面上に複数の選択項目からなる表示情報が表示された場合、制御部２０が、入力検知部２２により画面に表示された選択項目上で多点同時入力が検知された場合、多点同時入力が検知された多点間の選択項目を含む複数の選択項目を同時選択することにより、タッチ入力数が減少するため操作性の向上がはかれ、選択に要する時間が短縮される
【００４７】
上記したように、この発明の実施の形態１、実施の形態２に係る表示入力装置によれば、ＬＣＤタッチパネル１に特有の多点同時入力操作を積極的に利用して特定の機能と関連づけることにより、操作性を一層向上させることができる。
なお、上記した実施の形態１および実施の形態２において、図２に示す、制御部２０が有する機能は、全てをソフトウェアによって実現しても、あるいはその少なくとも一部をハードウェアで実現してもよい。例えば、表示情報を生成して表示部１０ａに出力するとともに、入力検知部２２により画面上で多点同時入力が検知された場合、当該多点同時入力における入力点数に応じて予め割り当てられたコマンドを実行する制御部２０が実行するデータ処理は、１または複数のプログラムによりコンピュータ上で実現してもよく、また、その少なくとも一部をハードウェアで実現してもよい。
【図面の簡単な説明】
【００４８】
【図１】この発明の実施の形態１に係る表示入力装置の内部構成を示すブロック図である。
【図２】この発明の実施の形態１に係る表示入力装置の制御部が実行するプログラムの構造を機能展開して示したブロック図である。
【図３】この発明の実施の形態１に係る表示入力装置に表示されるが画面構成の一例を示す図である。
【図４】この発明の実施の形態１に係る表示入力装置の動作を画面上で概念的に示した模式図である。
【図５】この発明の実施の形態１に係る表示入力装置の「シーケンス画面遷移モード」時における動作を示すフローチャートである。
【図６】この発明の実施の形態１に係る表示入力装置の「基本モード」時における動作を示すフローチャートである。
【図７】この発明の実施の形態２に係る表示入力装置に表示されるが画面構成の一例を示す図である。
【図８】この発明の実施の形態２に係る表示入力装置の動作を画面上で概念的に示した模式図である。
【図９】この発明の実施の形態２に係る表示入力装置の「複数項目選択可能モード」時における動作を示すフローチャートである。
【符号の説明】
【００４９】
１  ＬＣＤタッチパネル、１０  表示入力部、１０ａ  表示部、１０ｂ  入力部、１１  基準電圧印加部、１２  基準電圧測定部、２０  制御部、２１  表示制御部、２２  入力検知部、２３  記憶部、２０１  表示画面モード判定部、２０２  有効画面領域設定部、２０３  タッチ領域判定・コマンド制御部。
【図１】
2010040012.tif 000003
【図２】
2010040012.tif 000004
【図３】
2010040012.tif 000005
【図４】
2010040012.tif 000006
【図５】
2010040012.tif 000007
【図６】
2010040012.tif 000008
【図７】
2010040012.tif 000009
【図８】
2010040012.tif 000010
【図９】
2010040012.tif 000011